(57)【特許請求の範囲】
【請求項１】
机本体の天板の後方に配設された書棚が、上下に分離可能な下書棚と上書棚より構成され、上下書棚の左右側板後部内面に上下方向に連続する左右上下スライド保持溝が形成され、上背板の左右端部が左右上下スライド保持溝に嵌合して上下方向にスライド自在となし、上背板の上下部が上書棚と下書棚に連結されて、上棚板の後端下方部を閉塞する位置と、上棚板の後端下方部を開放する位置に、上背板が選択自在に書棚に設けられており、上背板が上棚板の後端下方部を開放する位置にあるとき、上背板の上端は上書棚の下方に位置している事を特徴とする学習机。
【請求項２】
机本体の天板の後方に配設された書棚が、上下に分離可能な下書棚と上書棚より構成され、上下書棚の左右側板後部内面に上下方向に連続する左右上下スライド保持溝が形成され、上背板の左右端部が左右上下スライド保持溝に嵌合して上下方向にスライド自在となし、上背板の上下部が上書棚と下書棚に連結されて、上棚板の後端下方部を閉塞する位置と、上棚板の後端下方部を開放する位置に、上背板が選択自在に書棚に設けられており、上背板が上棚板の後端下方部を開放する位置にあるとき、上背板の上端は上書棚の下方に位置すると共に、机本体の左右脚体の前後下端面に、左右前後連結用螺孔と、左右前後連結用螺孔の前後方向に所定間隔を有して左右前後上嵌合孔を設ける一方、連結用螺孔に対応して連結用挿通孔を有し、上嵌合孔に嵌合する嵌合軸を有する継ぎ脚を、連結用螺孔に下方から螺合する連結ネジをもって、左右脚体前後下面に着脱自在に連結可能とし、継ぎ脚を連結した状態でも、継ぎ脚を取外した状態でも使用可能とした事を特徴とする学習机。
【発明の詳細な説明】
【０００１】
【発明の属する技術分野】
本発明は、学習机に関するものである。
【０００２】
【従来の技術】
従来、学習机は、一般に小学校の入学時から高校・大学の卒業時まで、長期に渡って使用されるので、それぞれの年代に見合った使用が可能なよう様々な工夫がなされている。
例えば、天板の後部に配設される書棚を上下に分離可能な下書棚と上書棚より構成して、ある程度の集中力が養われた時期からは、上書棚を取り外して下書棚だけで使用して、使用者の前方部に開放感を与えるのもその一つである。
しかしながら、上記の場合、収納個所が少なくなる欠点があった。
又、時期によっては机を壁際に設置したり、あるいは窓際に設置したりする場合があり、その設置場所によって、自然光を採光する要求が生じたり、壁面を隠蔽する要求が生じたりすることがあり、それらの要求に十分に対応することができなかった。
一方、近年、大人の平均身長以上（１７５センチメートル以上）に成長する児童の数も多くなり、普通の机の高さ（７３センチメートル）では低く、使用時の姿勢が悪くなると云う問題も発生していた。
【０００３】
【発明が解決しようとする課題】
本発明は、大人の平均身長以上に成長したときにも、或いは、机の異なった配置場所にも十分に対応できる、使い勝手に優れた学習机を提供する事を課題とする。
【０００４】
【課題を解決する為の手段】
そこで、上記課題を解決する為、本発明が第一の手段として構成したところは、机本体の天板の後方に配設された書棚が、上下に分離可能な下書棚と上書棚より構成され、上下書棚の左右側板後部内面に上下方向に連続する左右上下スライド保持溝が形成され、上背板の左右端部が左右上下スライド保持溝に嵌合して上下方向にスライド自在となし、上背板の上下部が上書棚と下書棚に連結されて、上棚板の後端下方部を閉塞する位置と、上棚板の後端下方部を開放する位置に、上背板が選択自在に書棚に設けられており、上背板が上棚板の後端下方部を開放する位置にあるとき、上背板の上端は上書棚の下方に位置しているものである。
【０００６】
本発明が第二の手段として構成したところは、机本体の天板の後方に配設された書棚が、上下に分離可能な下書棚と上書棚より構成され、上下書棚の左右側板後部内面に上下方向に連続する左右上下スライド保持溝が形成され、上背板の左右端部が左右上下スライド保持溝に嵌合して上下方向にスライド自在となし、上背板の上下部が上書棚と下書棚に連結されて、上棚板の後端下方部を閉塞する位置と、上棚板の後端下方部を開放する位置に、上背板が選択自在に書棚に設けられており、上背板が上棚板の後端下方部を開放する位置にあるとき、上背板の上端は上書棚の下方に位置すると共に、机本体の左右脚体の前後下端面に、左右前後連結用螺孔と、左右前後連結用螺孔の前後方向に所定間隔を有して左右前後上嵌合孔を設ける一方、連結用螺孔に対応して連結用挿通孔を有し、上嵌合孔に嵌合する嵌合軸を有する継ぎ脚を、連結用螺孔に下方から螺合する連結ネジをもって、左右脚体前後下面に着脱自在に連結可能とし、継ぎ脚を連結した状態でも、継ぎ脚を取外した状態でも使用可能としたものである。
【０００７】
【実施例】
以下、本発明を実施例に基づいて詳述する。
図１において、符号１は本発明の学習机を示している。
学習机１は、天板１１と、天板１１の左右端部下面に配設された左右脚体１２、１２と、左右脚体１２、１２の下端面に着脱自在に配設される継ぎ脚５・・・と、左右脚体１２、１２の後端部間に配設された下棚部１４よりなる机本体１５と、机本体１５の天板１１の後方に配設された書棚２０より構成されている。
【０００８】
書棚２０は、下書棚２と下書棚２に載置連結された上書棚３より構成されており、上書棚３は、下書棚２上に着脱自在に連結される左右上側板３１、３１と、左右上側板３１、３１の後端上部間に配設された上繋ぎ材３１１と、上繋ぎ材３１１の下方で左右上側板３１、３１間に上下方向にスライド自在に配設された上背板４と、上背板４の前方で左右上側板３１、３１間に水平方向に配設された上棚板３３と、上棚板３３上で左右方向に所定間隔を有して配設された上仕切り板３４・・・より構成されている。
【０００９】
下書棚２は、天板１１の後端左右端部上面に載置され、連結金具１０にて天板１１に連結され、上面に前記左右上側板３１、３１が連結金具（図示せず。）を介して連結される左右下側板２１、２１と、左右下側板２１、２１の後端部間に配設され、左右下側板２１、２１の後端面より所定寸法前方に位置し、上端部が左右下側板２１、２１の下端面より上方に突出し、上書棚３の背板４の前面に重合する下書棚２の下背板２２と、下背板２２の左右方向略中央部に前方に突出して配設された縦仕切り板２３と、縦仕切り板２３と右下側板２１間に水平方向に配設された中棚板２４と、中棚板２４の下面に配設された小引き出し２５、２５と、縦仕切り板２３と左下側板２１間に配設された自在棚板２６と、中棚板２４上に左右方向に所定間隔を有してもうけられた下仕切り板２７・・・より構成されている。
【００１０】
上背板４は、左右端部が上下書棚２、３の左右側板２１、２１、３１、３１後部内面の上下方向に連続して形成された左右上下スライド保持溝４１、４１、４２、４２に、上下方向にスライド自在に嵌合し、上背板４の上部左右側が、上棚板３３の後端面に形成され左右上取付螺孔４４、４４に連結飾りネジ４５、４５を介して連結され、下部左右側が、下書棚２の下背板２２の上部後面左右に形成された左右下取付螺孔４６、４６に連結飾りネジ４５、４５を介して連結されて上棚板３３の後端下方部を閉塞する位置に取り付けられる場合と、上背板４の下端左右側が下書棚２の左右下スライド保持溝４２、４２の下端に当接し、上背板４の上端が上書棚３の下方で、上棚板３３の後端下方部を開放する位置とに、選択自在に取り付けられる。
【００１１】
継ぎ脚５は、図９、図１０に示すように、机本体１５の脚体１２とほぼ同等の幅寸法で、所定の厚み（実施例では３センチメートル）を有する大きさで、前後逆使いする事により、左右脚体１２、１２の前後端部下面に取付られる。
すなわち、脚体１２の前後下端面に形成された左右前後連結用螺孔５１・・・に対応して、下端に連結ネジ６の頭部６１の逃がし穴６２が連設された連結用挿通孔５２と、左右前後連結用螺孔５１・・・の前後方向に所定間隔を有して形成された左右前後上嵌合孔５３・・・に対応して形成された下嵌合孔５４を有している。
【００１２】
符号７は、上下嵌合孔５３、５４に嵌合する嵌合軸を示し、継ぎ脚５を脚体１２に連結する際、下半部が下嵌合孔５４に嵌合され、上半部が上方に突出した状態で、脚体１２の下方から、上半部が上嵌合孔５３に嵌合される。
次に、連結ネジ６を連結用挿通孔５２の下方より挿通し、連結用螺孔５１に螺合し、脚体１２の下面に継ぎ脚５を連結する。
この時、連結ネジ６の頭部６１は逃がし孔６２内に位置する。
【００１３】
【発明の効果】
請求項１に記載の発明によれば、上背板を上下方向にスライド自在となし、上棚板の後端下方部を閉塞する位置と、上棚板の後端下方部を開放する位置で保持できるので、壁際に設置しても、窓際に設置しても、壁面を隠蔽したり、自然光を採光したり、自由に選択でき、使い勝手が非常に良い。
又、上棚板の後端下方部を開放する位置では、上背板の上端は上書棚の下方に位置する構成となっているので、上書棚の取り外しに支障をきたす事がなく、紛失する恐れもない。
【００１５】
請求項２に記載の発明によれば、上記請求項１の効果に加え、成人の平均身長以上の体格であっても脚体に継ぎ脚を連結する構成としているので、正しい姿勢で使用する事がでる。
又、継ぎ脚に嵌合軸を上方に突出せしめ、嵌合軸を脚体下面の上嵌合孔に嵌合する事により、一本の連結ネジで継ぎ脚と脚体を連結しても、継ぎ脚が回転する事がないので、簡単な構造で安価に製作できる。
【図面の簡単な説明】
【図１】  本発明の斜視図。
【図２】  書棚部分の正面図
【図３】  図２のＡ−Ａ線拡大断面図
【図４】  図２のＢ−Ｂ線拡大断面図
【図５】  図３のＣ部拡大図
【図６】  図３のＤ部拡大図
【図７】  図４のＥ部拡大図
【図８】  図４のＦ部拡大図
【図９】  脚体と継ぎ脚を連結した状態の側面図
【図１０】  継ぎ脚の斜視図
【符号の説明】
１        学習机
１１      天板
１２      脚体
１５      机本体
２        下書棚
２１      側板
２２      下背板
３        上書棚
３１      側板
４        上背板
４１      左右上スライド保持溝
４２      左右下スライド保持溝
５        継ぎ脚
５１      連結用螺孔
６        連結ネジ
７        嵌合軸
【図１】
0003771821.tif 000002
【図２】
0003771821.tif 000003
【図３】
0003771821.tif 000004
【図４】
0003771821.tif 000005
【図５】
0003771821.tif 000006
【図６】
0003771821.tif 000007
【図７】
0003771821.tif 000008
【図８】
0003771821.tif 000009
【図９】
0003771821.tif 000010
【図１０】
0003771821.tif 000011